【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
円周方向に離間して半径方向に突出する第１，第２のローブを有し、軸方向に延び、軸と共に回転するため軸に接続可能なロータと、
対応するローブを受容可能な積層ポールピースの第１，第２のセットと、
上記ポールピースのセット間に配置された磁石と、及び
上記磁石が半径方向に移動するのを阻止するための磁石維持リングとより成り、上記磁石維持リングが
外周縁と、
対応するローブを受容するための第１及び第２の切り欠けを含む支持板と、及び
上記積層ポールピースの第１及び第２のセット間で延び、上記支持板の第１の側面から突出する磁石維持素子と
を有する電気機械装置のためのロータアセンブリ。
【請求項２】
上記ロータから突出する各ローブが拡大ヘッドとこれに連なるネック部を有する請求項１記載のロータアセンブリ。
【請求項３】
上記各積層ポールピースがＣ形であり、対応するローブのネック部に適合する所定距離だけ離間している第１及び第２の端部を有する請求項２記載のロータアセンブリ。
【請求項４】
上記磁石維持素子が上記積層ポールピースの第１及び第２のセット間で延びる外周面と、上記磁石に指向される内面とを有する請求項１記載のロータアセンブリ。
【請求項５】
ロータ回転の間磁石が半径方向に移動することを阻止するため磁石維持素子の内面と磁石間に詰め金が配置されている請求項４記載のロータアセンブリ。
【請求項６】
上記積層ポールピースの各セットが、第１の半径方向の厚さの複数の第１ポールピースと、第２の半径方向の厚さの複数の第２ポールピースとを有する請求項１記載のロータアセンブリ。
【請求項７】
上記積層ポールピースの対応するセットの複数の第１ポールピースが第１スタックを形成するため互いに隣接して配置されており、上記積層ポールピースの対応するセットの複数の第２ポールピースが第２スタックを形成するため互いに隣接して配置されている請求項６記載のロータアセンブリ。
【請求項８】
上記第１の半径方向の厚さが第２の半径方向の厚さより大きい請求項６記載のロータアセンブリ。
【請求項９】
上記ロータが端面を有し、上記積層ポールピースの上記第１のセットの半径方向の厚さがＴであり、上記端面に隣接し、上記積層ポールピースの上記第２のセットの半径方向の厚さがＴ′であり、Ｔ′がＴより大きい請求項１記載のロータアセンブリ。
【請求項１０】
上記積層ポールピースの上記第１，第２のセットが、対応する上記ローブの外面に接する内縁を有する請求項９記載のロータアセンブリ。
【請求項１１】
上記積層ポールピースの上記第１，第２のセットが前縁と後縁とを有し、この各縁にくぼみが形成されている請求項１記載のロータアセンブリ。
【請求項１２】
上記磁石が台形状である請求項１記載のロータアセンブリ。
【請求項１３】
円周方向に離間して半径方向に突出する複数のローブを有し、軸方向に延び、軸と共に回転するため軸に接続可能なロータと、
夫々が対応するローブ上に支持された円周方向に離間した複数の磁極と磁石維持リングとを有する、上記ロータによって支持された複数のリングアセンブリと、
夫々が上記ロータの軸に平行で、上記各リングアセンブリの対応する磁極対間に配置されている、上記リングアセンブリを通して延びる、上記ロータの周りで円周方向に離間した複数の磁石と、及び
複数の磁石維持素子と
より成り、上記磁石維持リングが外周縁と、対応するローブを受容するための複数の切り欠けを含む支持板とを有し、上記複数の磁石の半径方向移動を阻止し、上記磁石維持素子が対応する磁極の対間で延び、上記支持板の第１の側面から突出する円周方向に離間している電気機械装置のためのロータアセンブリ。
【請求項１４】
上記各磁石維持リングの各磁石維持素子が対応する端面から突出する抑止バーを有し、上記各支持板が複数の円周方向に離間した抑止バー受取凹所を有する第２の側面を有し、上記各抑止バー受取凹所が隣接する磁石維持リングの対応する抑止バーを受容する請求項１３記載のロータアセンブリ。
【請求項１５】
上記各リングアセンブリの各磁極が複数の積層ポールピースを含む請求項１３記載のロータアセンブリ。
【請求項１６】
上記ロータが第１及び第２の端面を有し、上記複数のリングアセンブリの１つが上記ロータの上記第１の端面に隣接している請求項１５記載のロータアセンブリ。
【請求項１７】
上記ロータの第１の端面に隣接する複数のリングアセンブリの１つの各磁極の積層ポールピースが、第１の半径方向の厚さの複数の第１ポールピースと、第２の半径方向の厚さの複数の第２ポールピースとを有する請求項１６記載のロータアセンブリ。
【請求項１８】
上記第１ポールピースの上記第１の半径方向の厚さが上記第２ポールピースの上記第２の半径方向の厚さより大きい請求項１７記載のロータアセンブリ。
【請求項１９】
上記第１ポールピースが上記ロータの第１の端面に隣接している請求項１８記載のロータアセンブリ。
【請求項２０】
上記各積層ポールピースが弧状の外周縁を有する請求項１５記載のロータアセンブリ。
【請求項２１】
上記各積層ポールピースが非対称的な前縁と後縁とを有する請求項１５記載のロータアセンブリ。
【請求項２２】
第１，第２の対向する側面を有するエンドプレートと、
上記エンドプレートに回転を伝達するよう上記エンドプレートの第２の側面に連結した回転可能な軸と、
端面と外周面とこの外周面から延びる円周方向に離間した複数のローブとより成る、上記エンドプレートの上記第１の側面に連結されたロータと、
上記ロータによって支持された複数のリングアセンブリと、
上記磁石維持リングの上記第２の側面に設けた複数の円周方向に離間した抑止バー受取凹部と、
上記磁石維持リングの上記第１の側面から突出する円周方向に離間した複数の磁石維持素子と、及び
上記リングアセンブリと上記磁石を維持するため上記ロータの端面に固定した第２のエンドプレートとより成り、
上記リングアセンブリの夫々が、対応する上記ローブを受容する積層ポールピースの複数のスタックと、及び複数の磁石の半径方向移動を阻止するための磁石維持リングとより成り、
上記磁石維持リングの夫々が、第１，第２の対向する側面と、
上記磁石維持リングを上記ローブに対し軸方向に摺動自在ならしめるための大きさの複数の円周方向に離間したローブ状凹所と、及び
上記リングアセンブリ内の上記積層ポールピースの上記スタックの一対間に配置された、上記対応する磁石を通過せしめるための複数の円周方向に離間した切欠けとより成る
電気機械装置のためのロータアセンブリ。
【請求項２３】
ロータと、
上記ロータから半径方向に延びる複数のローブと、
上記ロータによって支持された複数のリングアセンブリとより成り、
上記リングアセンブリの夫々が、複数の磁石の半径方向移動を阻止するための磁石維持リングと、
積層ポールピースの複数のスタックと、及び
上記磁石維持リングの第１の側面から突出する複数の磁石維持素子とより成り、上記磁石維持リングが、上記磁石維持リングを上記ローブに対し軸方向に摺動自在ならしめるための大きさの、複数の円周方向に離間したローブ状凹所を有し、
上記積層ポールピースのスタックの夫々が対応するローブによって受容され、
上記対応するローブの夫々が対応する上記積層ポールピースのスタックによって維持され、上記磁石の１つが上記スタックの夫々の間に位置され、
上記磁石維持素子の夫々が上記積層ポールピースのスタックの夫々の間に延び、
上記ロータの回転時、上記磁石の半径方向の移動が上記磁石維持リングによって阻止され、上記積層ポールピースのスタックの半径方向の移動が上記ローブによって阻止される
電気機械装置のためのロータアセンブリ。
【請求項２４】
ロータ受容凹所を区劃する内周面を有する、長手方向の軸に沿って延びるステータと、
上記ロータ受容凹所に位置決めされ、上記長手方向の軸に沿って延びる、この軸の周りに回転可能なロータと、
上記ロータ上に支持された、夫々が磁石維持手段を有する複数のリングアセンブリと、及び
上記ロータの周りに円周方向に沿って離間され、上記リングアセンブリを通して上記ロータの軸と平行に延びる、対応する磁石維持手段に関連して配置された複数の磁石とより成り、
上記磁石維持手段が上記磁石の半径方向外方への移動を阻止する
電磁装置。
【請求項２５】
上記ロータがこのロータの半径方向に突出する円周方向に離間した複数のローブを有し、上記各リングアセンブリが対応するローブで支持される円周方向に離間した複数の磁極を有する請求項２４記載の電磁装置。
【請求項２６】
上記各リングアセンブリの各磁極が複数の積層ポールピースを有する請求項２５記載の電磁装置。
【請求項２７】
上記ロータが第１及び第２の端面を有し、上記複数のリングアセンブリの１つが上記ロータの上記第１の端面に隣接している請求項２６記載の電磁装置。
【請求項２８】
上記ロータの第１の端面に隣接する複数のリングアセンブリの１つの各磁極の積層ポールピースが、第１の半径方向の厚さの複数の第１ポールピースと、第２の半径方向の厚さの複数の第２ポールピースとを有する請求項２７記載の電磁装置。
【請求項２９】
上記第１の半径方向の厚さが第２の半径方向の厚さより大きい請求項２８記載の電磁装置。
【請求項３０】
上記第１ポールピースが上記ロータの第１の端面に隣接している請求項２９記載の電磁装置。
【請求項３１】
上記各積層ポールピースが非対称的な前縁と後縁とを有する請求項２６記載の電磁装置。
【請求項３２】
上記ステータが長手方向の軸に平行な軸に沿って積層された複数の積層ステータピースを有し、この積層ステータピースが上記ロータアセンブリの磁極から半径方向に離間している請求項２４記載の電磁装置。
【請求項３３】
上記ステータが複数の半径方向の冷却通路を有し、この冷却通路がロータ受容凹所に連通する請求項２４記載の電磁装置。
【請求項３４】
上記磁石維持手段が、ポールピースに張力負荷を加えることなく磁石の半径方向外方への移動を阻止する請求項２５記載の電磁装置。
【請求項３５】
ロータ受容凹所を区劃する内周面を有する、長手方向の軸に沿って延びるステータと、
上記ロータ受容凹所に位置決めされ、上記長手方向の軸に沿って延びる、この軸の周りに回転可能なロータと、
上記ロータ上に支持された複数のリングアセンブリと、及び
上記ロータの周りに円周方向に沿って離間され、上記リングアセンブリを通して上記ロータの軸と平行に延びる複数の磁石とより成り、
上記ロータがこのロータの半径方向に突出する円周方向に離間した複数のローブを有し、上記各リングアセンブリが対応するローブで支持される円周方向に離間した複数の磁極を有する電磁装置。
【請求項３６】
上記各リングアセンブリの各磁極が複数の積層ポールピースを有する請求項３５記載の電磁装置。
【請求項３７】
上記ロータが第１及び第２の端面を有し、上記複数のリングアセンブリの１つが上記ロータの上記第１の端面に隣接している請求項３６記載の電磁装置。
【請求項３８】
上記ロータの第１の端面に隣接する複数のリングアセンブリの１つの各磁極の積層ポールピースが、第１の半径方向の厚さの複数の第１ポールピースと、第２の半径方向の厚さの複数の第２ポールピースとを有する請求項３７記載の電磁装置。
【請求項３９】
上記第１の半径方向の厚さが第２の半径方向の厚さより大きい請求項３８記載の電磁装置。
【請求項４０】
上記第１ポールピースが上記ロータの第１の端面に隣接している請求項３９記載の電磁装置。
【請求項４１】
上記各積層ポールピースが非対称的な前縁と後縁とを有する請求項３６記載の電磁装置。
【請求項４２】
上記ステータが長手方向の軸に平行な軸に沿って積層された複数の積層ステータピースを有し、この積層ステータピースが上記ロータアセンブリの磁極から半径方向に離間している請求項３５記載の電磁装置。
【請求項４３】
上記ステータが複数の半径方向の冷却通路を有し、この冷却通路がロータ受容凹所に連通する請求項３５記載の電磁装置。